(57)【要約】【課題】高速空気流による手に付着した水分の飛散水を効率的に回収し、排水を行うために飛散水の跳ね返りや乾燥室底部の残水による逆流水の戻り現象を抑制させる手乾燥装置を提供する。【解決手段】乾燥室３の底部に溜まった水分を排水させる排水口８と、前記乾燥室３の内側に向けて２方向に傾斜した第１傾斜板１２ａと、第２傾斜板１２ｂとを備え、前記第１傾斜板１２ａと第２傾斜板１２ｂを前記乾燥室３内に設置することで、手からの飛散した水分の跳ね返りを低減することを特徴とする構成にして、傾斜板を設けることで、乾燥室３内を２層構造に構成することができるため、手から離れた飛散水は傾斜板にあたり、跳ね返った飛散水は、乾燥室壁面に向かって跳ね返すことができる。また、傾斜板上の飛散水を上層部から下層部へ送ることができる。【選択図】図１
2012024174.tif 000002
【特許請求の範囲】
【請求項１】
外郭を形成する本体と、前記本体に配置された空気流を送風する電動送風機と、前記本体の開放部から挿入された手を乾燥する乾燥室と、前記乾燥室に挿入された手を検知し前記電動送風機を動作させる手検知部と、前記本体下面に配置されている吸気口と、前記吸気口から吸気した空気が前記電動送風機を通り、空気流として送風されるノズル部と、前記手検知部で検知した入力信号を処理し前記電動送風機を始動させる制御部と、前記乾燥室の底部に溜まった水分を排水させる排水口と、前記乾燥室の内側に向けて２方向に傾斜した第１傾斜板と、第２傾斜板とを備え、前記第１傾斜板と第２傾斜板を前記乾燥室内に設置することで、手からの飛散した水分の跳ね返りを低減することを特徴とする手乾燥装置。
【請求項２】
前記第１傾斜板と第２傾斜板の傾斜板の角度を調整可能とする角度調整手段を備えた構造であることを特徴とする請求項１記載の手乾燥装置。
【請求項３】
前記第１傾斜板と前記第２傾斜板は、前記乾燥室から着脱可能とする着脱手段を備えた構造であることを特徴とする請求項１と請求項２記載の手乾燥装置。
【請求項４】
前記乾燥室の底部に設けた前記排水口は、排水効果を向上させるために、第２傾斜板の最下点の延長上に配置することを特徴とする請求項１〜３記載の手乾燥装置。
【請求項５】
前記乾燥室３には、前記乾燥室の中央から壁面側に向けて４方向に傾斜した４枚の傾斜板で構成された傾斜台を備え、前記傾斜台は手からの飛散した水分を４方向に分散させて跳ね返りを低減させることを特徴とする手乾燥装置。
【請求項６】
前記乾燥室に前記傾斜台を配置した前記排水口は、排水効果を向上させるために、前記傾斜台の直下に配置することを特徴とする請求項５記載の手乾燥装置。
【請求項７】
前記傾斜台の４方向に設けられた傾斜板には、縦方向に仕切り板を設ける構造を追加することを特徴とする請求項５と請求項６記載の手乾燥装置。
【請求項８】
前記乾燥室の壁面には、逆流防止板を装着可能な構造を追加することを特徴とする請求１〜７記載の手乾燥装置。
【請求項９】
前記逆流防止板は、逆流防止板の高さを変更可能な構造であることを特徴とする請求１〜８記載の手乾燥装置。
【請求項１０】
前記逆流防止板は、乾燥室壁面に収納可能な構造であることを特徴とする請求１〜９記載の手乾燥装置。
【発明の詳細な説明】
【技術分野】
【０００１】
本発明は、手を効率的に乾燥させる手乾燥装置に関するものである。
【背景技術】
【０００２】
従来、この種の手乾燥装置は、洗浄後の濡れた手を衛生的に乾燥させる装置として、高速空気流により手に付着した水滴を吹き飛ばして乾燥させる手乾燥装置が知られている（例えば、特許文献１参照）。
【０００３】
また、この装置は、本体の乾燥室に手を挿入するための開口部が設けられ、乾燥室の周辺に設けられた赤外線発光素子と赤外線受光素子からなる手検出部が設けられている。
【０００４】
さらに、手検出部により手を検知すると本体に内蔵された送風装置が作動し、吹き出し口から乾燥室へ高速空気流が噴射して、手に付着した水分を吹き飛ばして、手を乾燥させる構成となっていた。
【先行技術文献】
【特許文献】
【０００５】
【特許文献１】特開平１１−３１８７６０号公報
【発明の概要】
【発明が解決しようとする課題】
【０００６】
このような従来の手乾燥装置では、手乾燥運転時の高速空気流にて、手から飛散された飛散水が、乾燥室底面にぶつかり、勢いの強さによって起こる跳ね返り現象にて、跳ね返り飛散水として、使用者に跳ね返ることで、不快感を与えるという課題であった。
【０００７】
また、乾燥室底部の排水途中の飛散水や壁面に残った残水が、高速空気流により、乾燥室壁面を伝わり、残水が持ち上がりによる逆流水の戻り現象により、使用者まで逆流水が戻ることとで、更なる不快感を与えていたという課題があった。
【０００８】
本発明は、このような従来の課題を解決するもので、高速空気流による手に付着した水分の飛散水を効率的に回収し、排水を行うために飛散水の跳ね返りや乾燥室底部の残水による逆流水の戻り現象を抑制させて、乾燥室内の送風を活用しながら排水口へ効率的に回収可能するだけでなく、清掃作業が容易に行えて、清潔感を与えることが可能な手乾燥装置を提供する。
【課題を解決するための手段】
【０００９】
前記課題を解決するために、本発明の手乾燥装置は、外郭を形成する本体と、前記本体に配置された空気流を送風する電動送風機と、前記本体の開放部から挿入された手を乾燥する乾燥室と、前記乾燥室に挿入された手を検知し前記電動送風機を動作させる手検知部と、前記本体下面に配置されている吸気口と、前記吸気口から吸気した空気が前記電動送風機を通り、空気流として送風されるノズル部と、前記手検知部で検知した入力信号を処理し前記電動送風機を始動させる制御部と、前記乾燥室の底部に溜まった水分を排水させる排水口と、前記乾燥室の内側に向けて２方向に傾斜した第１傾斜板と、第２傾斜板とを備え、前記第１傾斜板と第２傾斜板を前記乾燥室内に設置することで、手からの飛散した水分の跳ね返りを低減することを特徴とするものである。
【００１０】
この手段により、飛散水を乾燥室壁面に跳ね返らせることで、上方への跳ね返り力を抑え、使用者へ飛散水の跳ね返りを抑制させることができる。
【００１１】
また、飛散水を下層部に送ることで、乾燥室底部に溜まる残水を構造的に跳ね返らせないようにすることができるという効果のある手乾燥装置が得られる。
【００１２】
また、他の手段は、前記第１傾斜板と第２傾斜板の傾斜板の角度を調整可能とする角度調整手段を備えた構造であることを特徴とするものである。
【００１３】
この手段により、飛散水の跳ね返りを調整しながら、効果的に乾燥室壁面に跳ね返らせることで、使用者への飛散水の跳ね返りを確実により抑制させることができるという効果のある手乾燥装置が得られる。
【００１４】
また、他の手段は、前記第１傾斜板と前記第２傾斜板は、前記乾燥室から着脱可能とする着脱手段を備えた構造であることを特徴とするものである。
【００１５】
この手段により、取り外したために、乾燥室に凹凸がなくなり、容易に清掃が可能であるために清潔が保たれる。
【００１６】
また、第１傾斜板と第２傾斜板を設置されていることで、乾燥室底部の残水や排水口周辺に集まったゴミが見えないために、視覚による不快感を与えなくすることができるという効果のある手乾燥装置が得られる。
【００１７】
また、他の手段は、前記乾燥室の底部に設けた前記排水口は、排水効果を向上させるために、第２傾斜板の最下点の延長上に配置することを特徴とするものである。
【００１８】
この手段により、飛散水をすぐに排水させながら、乾燥室内の残水量を減らすことで、跳ね返り水を低減することができる。
【００１９】
また、残水を減らすことで、水垢などの発生を抑制させることができる。
【００２０】
さらに、傾斜板と乾燥室の壁面の間の隙間から送風が取り入れられ、乾燥室壁面を通り、排水口に送風されるために、乾燥室の壁面に付着した飛散水も同時に排水口へ導き、効率的な排水と飛散水の回収をすることができるという効果のある手乾燥装置が得られる。
【００２１】
また、他の手段は、前記乾燥室３には、前記乾燥室の中心央から壁面側に向けて４方向に傾斜した４枚の傾斜板で構成された傾斜台を備え、前記傾斜台は手からの飛散した水分を４方向に分散させて跳ね返りを低減させることを特徴とするものである。
【００２２】
この手段により、最短距離で乾燥室壁面に飛散させることで、傾斜板に流れている途中の水分の送風による巻き上がりを低減させることができる。
【００２３】
また、最短距離にすることで、乾燥室の下層部に送り込む時間を短くできるため、傾斜板に溜まる跳ね返り水の量を低減することができるという効果のある手乾燥装置が得られる。
【００２４】
また、他の手段は、前記乾燥室に前記傾斜台を配置した前記排水口は、排水効果を向上させるために、前記傾斜台の直下に配置することを特徴とするものである。
【００２５】
この手段により、傾斜台の直下に排水口を設けることで、最短距離で傾斜板から底部に流れ込んだ飛散水を、４方向から回収できるために、効率的な排水が可能となる。
【００２６】
また、傾斜台から見えない位置にあるので、乾燥室底部の残水や排水口周辺に集まったゴミが見えないために、視覚による不快感を与えなくすることができるという効果のある手乾燥装置が得られる。
【００２７】
また、他の手段は、前記傾斜台の４方向に設けられた傾斜板には、縦方向に仕切り板１６を設ける構造を追加することを特徴とするものである。
【００２８】
この手段により、送風に後押しされながら、横流れもせず、最短距離で乾燥室の下層部に短時間で流水することができるために、傾斜板に溜まる跳ね返り水の量を低減することができるという効果のある手乾燥装置が得られる。
【００２９】
また、他の手段は、前記乾燥室の壁面には、逆流防止板を装着可能な構造を追加することを特徴とするものである。
【００３０】
この手段により、残水の戻りで逆流水の持ち上がり現象による跳ね返りを抑制することができるという効果のある手乾燥装置が得られる。
【００３１】
また、他の手段は、前記逆流防止板は、逆流防止板の高さを変更可能な構造であることを特徴とするものである。
【００３２】
この手段により、逆流水による持ち上がりの量に応じて、使用者が変更可能できるため、逆流水の持ち上がり現象による跳ね返りをより抑制することができるという効果のある手乾燥装置が得られる。
【００３３】
また、他の手段は、前記逆流防止板は、乾燥室壁面に収納可能な構造であることを特徴とするものである。
【００３４】
この手段により、収納可能にし、乾燥室壁面の凹凸をなくすことで、乾燥室壁面の清掃が容易となり、清潔が保つことができる。
【００３５】
また、乾燥室側面の残水や排水口周辺に集まったゴミの清掃も容易にできるために乾燥室全体を清潔にすることができるという効果のある手乾燥装置が得られる。
【発明の効果】
【００３６】
本発明の手乾燥装置によれば、外郭を形成する本体と、前記本体に配置された空気流を送風する電動送風機と、前記本体の開放部から挿入された手を乾燥する乾燥室と、前記乾燥室に挿入された手を検知し前記電動送風機を動作させる手検知部と、前記本体下面に配置されている吸気口と、前記吸気口から吸気した空気が前記電動送風機を通り、空気流として送風されるノズル部と、前記手検知部で検知した入力信号を処理し前記電動送風機を始動させる制御部と、前記乾燥室の底部に溜まった水分を排水させる排水口と、前記乾燥室の内側に向けて２方向に傾斜した第１傾斜板と、第２傾斜板とを備え、前記第１傾斜板と第２傾斜板を前記乾燥室内に設置することで、手からの飛散した水分の跳ね返りを低減することを特徴とするものであって、傾斜板を設けることで、乾燥室内を２層構造に構成することができるため、手から離れた飛散水は、傾斜板にあたり跳ね返った飛散水は、乾燥室壁面に向かって跳ね返すことができる。
【００３７】
また、傾斜板上の飛散水を上層部から下層部へ送ることができるために、飛散水を乾燥室壁面に跳ね返らせることで、上方への跳ね返り力を抑え、使用者へ飛散水の跳ね返りを抑制させることができる。
【００３８】
さらに、飛散水を下層部に送ることで、乾燥室底部に溜まる残水を構造的に跳ね返らせないようにすることができるという効果のある手乾燥装置を提供することができる。
【図面の簡単な説明】
【００３９】
【図１】本発明の実施の形態１の手乾燥装置を示す正面断面図
【図２】本発明の実施の形態１の手乾燥装置を示す上方図
【図３】本発明の実施の形態１の手乾燥装置を示す正面断面図
【図４】本発明の実施の形態２の手乾燥装置を示す正面断面図
【図５】本発明の実施の形態２の手乾燥装置を示す上方図
【図６】本発明の実施の形態２の手乾燥装置を示す上方図
【図７】本発明の実施の形態３の手乾燥装置を示す正面断面図
【図８】本発明の実施の形態３の手乾燥装置を示す正面断面図
【発明を実施するための形態】
【００４０】
請求項１記載の発明は、外郭を形成する本体と、前記本体に配置された空気流を送風する電動送風機と、前記本体の開放部から挿入された手を乾燥する乾燥室と、前記乾燥室に挿入された手を検知し前記電動送風機を動作させる手検知部と、前記本体下面に配置されている吸気口と、前記吸気口から吸気した空気が前記電動送風機を通り、空気流として送風されるノズル部と、前記手検知部で検知した入力信号を処理し前記電動送風機を始動させる制御部と、前記乾燥室の底部に溜まった水分を排水させる排水口と、前記乾燥室の内側に向けて２方向に傾斜した第１傾斜板と、第２傾斜板とを備え、前記第１傾斜板と第２傾斜板を前記乾燥室内に設置することで、手からの飛散した水分の跳ね返りを低減することを特徴とするものであって、傾斜板を設けることで、乾燥室内を２層構造に構成することができるため、手から離れた飛散水は、傾斜板にあたり跳ね返った飛散水は、乾燥室壁面に向かって跳ね返すことができる。
【００４１】
また、傾斜板上の飛散水を上層部から下層部へ送ることができる作用を有する。
【００４２】
また、前記第１傾斜板と第２傾斜板の傾斜板の角度を調整可能とする角度調整手段を備えた構造であることを特徴とするものであって、傾斜板の角度を角度調整手段にて変更可能にすることで、飛散水の跳ね返り角度を送風の強さに応じて、調整することができる作用を有する。
【００４３】
また、前記第１傾斜板と前記第２傾斜板は、前記乾燥室から着脱可能とする着脱手段を備えた構造であることを特徴とするものであって、第１傾斜板と第２傾斜板の隠れた位置にある着脱手段にて、清掃時には、第１傾斜板と第２傾斜板を乾燥室から取り外すことができる作用を有する。
【００４４】
また、前記乾燥室の底部に設けた前記排水口は、排水効果を向上させるために、第２傾斜板の最下点の延長上に配置することを特徴とするものであって、傾斜板の最下点に排水口を設けることで、傾斜板に回収された飛散水を即時に排水することができる作用を有する。
【００４５】
また、前記乾燥室３には、前記乾燥室の中心央から壁面側に向けて４方向に傾斜した４枚の傾斜板で構成された傾斜台を備え、前記傾斜台は手からの飛散した水分を４方向に分散させて跳ね返りを低減させることを特徴とするものであって、４枚の傾斜板で構成された傾斜台と乾燥室壁面の距離を最短距離にすることで、飛散水は傾斜台から跳ね返り後すぐに４方向に分散させながら、乾燥室壁面に飛散させることができる作用を有する。
【００４６】
また、前記乾燥室に前記傾斜台を配置した前記排水口は、排水効果を向上させるために、前記傾斜台の直下に配置することを特徴とするものであって、傾斜台は、最短距離で乾燥室の下層部へ飛散水を流すことができる。また、傾斜板と壁面の隙間からの高速空気流の送風により、４方向から飛散水を中心の排水口に向けて包みこむように送り出すことができる作用を有する。
【００４７】
また、前記傾斜台の４方向に設けられた傾斜板には、縦方向に仕切り板１６を設ける構造を追加することを特徴とするものであって、傾斜板の１辺に縦方向の仕切りを設けることで、送風による傾斜板内の飛散水の横流れを防止することができる作用を有する。
【００４８】
また、前記乾燥室の壁面には、逆流防止板を装着可能な構造を追加することを特徴とするものであって、乾燥室の壁面に送風による逆方向への残水の持ち上がりによる逆流水の抑制のために乾燥室壁面に逆流防止板をとりつけることで、逆流水による持ち上がりを食い止めることができる作用を有する。
【００４９】
また、前記逆流防止板は、逆流防止板の高さを変更可能な構造であることを特徴とするものであって、逆流防止板の高さを調整可能とすることで、逆流水の量及び送風量に応じて、逆流水による持ち上がりを食い止めることができる作用を有する。
【００５０】
また、前記逆流防止板は、乾燥室壁面に収納可能な構造であることを特徴とするものであって、乾燥室壁面に取り付けられた逆流防止板の高さを調整できるだけでなく、収納可能とすることで、乾燥室壁面の凹凸をなくすことができる作用を有する。
【００５１】
以下、本発明の実施の形態について図面を参照しながら説明する。
【００５２】
（実施の形態１）
図１および図２および図３に示すように、本実施の形態１における手乾燥装置の正面断面図と上方図と正面断面図を示す。図１の正面断面図については、同一機能部品は省略して１つのみを記載することで、製品としての機能を説明している。図２および図３においては、同一機能部品を省略しないで、上方図と正面断面図より機能部品の配置を説明することで、本実施の形態１の製品の構成を説明している。
【００５３】
外郭を形成する本体１と、この本体１に配置された空気流を送風する電動送風機２と、前記本体１の開放部から挿入された手を乾燥する乾燥室３と、前記乾燥室３に挿入された手を検知し前記電動送風機２を動作させる手検知部４と、本体１下面に配置されている吸気口５と、前記吸気口５から吸気した空気が前記電動送風機２を通り、高速空気流として送風されるノズル部６と、前記手検知部４で検知した入力信号を処理し前記電動送風機２を始動させる制御部７と、前記乾燥室３の底部に溜まった水分を排水させる排水口８と、前記乾燥室３の内側に向けて２方向から傾斜させて設けた第１傾斜板１２ａと、第２傾斜板１２ｂとを備え、前記第１傾斜板１２ａと第２傾斜板１２ｂを前記乾燥室３内に設置することで、手からの飛散した水分の跳ね返りを低減することを特徴とする手乾燥装置である。
【００５４】
また、図１に示すように、前記手検知部４の一例として、赤外線受発光素子や側距センサーなどを用いて、前記乾燥室３内の手の抜き差しを検知することができる。
【００５５】
さらに、前記制御部７は、前記手検知部４からの信号により、挿入された手を検知している間、前記電動送風機２を動作し続け、手が非検知状態になったら、前記電動送風機２が停止する構成を備える。
【００５６】
また、吸気口５は外気から空気を取り入れ、前記電動送風機２を通過して、前記乾燥室３に空気を送風させることができる。
【００５７】
さらに、前記乾燥室３の下部に設けられた排水口８は、前記電動送風機２にて飛散された水分が溜り、ドレン配管９を経由してドレンタンク１０に溜まる構造である。そして、前記ドレンタンク１０に溜まった水分は清掃者が定期的に捨てるものである。
【００５８】
また、風路１１は、前記吸気口５から前記電動送風機２を通過して、前記ノズル部６のへ空気を送る経路である。
【００５９】
さらに、２方向に傾斜した第１傾斜板１２ａと第２傾斜板１２ｂは、乾燥室３内に新たに設置され、手から飛散した飛散水が傾斜板にぶつかるが、傾斜板には傾斜角度があるために、跳ね返り方向が真上ではなく、乾燥室３の壁面に飛ばされることとなる。
【００６０】
また、勢いがなくなった飛散水は、第１傾斜板１２ａと第２傾斜板１２ｂをすべり落ち乾燥室の底部に集まるようになる。
【００６１】
さらに、第１傾斜板１２ａと第２傾斜板１２ｂには前記電動送風機２からの高速空気流が上方からあたることで、これら第１傾斜板１２ａと第２傾斜板１２ｂをすべり落ちる飛散水を下方へ強く後押しするために、排水時間を短くすることができる。
【００６２】
また、前記第１傾斜板１２ａと第２傾斜板１２ｂを配置することで、乾燥室内が上層部と下層部の２層に分離される構成となる。
【００６３】
さらに、前記第１傾斜板１２ａと第２傾斜板１２ｂと乾燥室の壁面との間には、隙間があるために前記電動送風機２からの高速空気流が乾燥室３壁面から乾燥室３下層部へ送風され、壁面に付着した水分や底部に残った残水を排水口８へ効率的に集めることができる構成とする。
【００６４】
図２に示すように、乾燥室３内に設置された第１傾斜板１２ａと第２傾斜板１２ｂは、乾燥室３の底面の大半を占める大きさのため、上層部と下層部の２層構造であるため、下層部へ流れ落ちた飛散水は、上層部へ戻ることができない構成となっている。
【００６５】
また、前記排水口８は、第１傾斜板１２ａと第２傾斜板１２ｂの下の下層部にあるため、乾燥室３上方から見た場合、確認することができない構成となっている。
【００６６】
さらに、前記第１傾斜板１２ａと第２傾斜板１２ｂの傾斜板の角度を調整可能とする角度調整手段１３を備えた構造である。
【００６７】
図１に示すように、前記第１傾斜板１２ａと第２傾斜板１２ｂの側面には、各１個づつ角度調整手段１３を備える構成である。
【００６８】
また、前記角度調整手段１３を操作することにより、第１傾斜板１２ａと第２傾斜板１２ｂの傾斜角度を自在に変更できる。
【００６９】
さらに、前記角度調整手段１３の構成の一例として、前記角度調整手段１３の内部には、回転ギア等が内蔵されており、前記角度調整手段１３を回転させることで、前記角度調整手段１３を起点として、傾斜板の角度が変更できる。
【００７０】
また、前記角度調整手段１３を時計周りに回転させると、前記第１傾斜板１２ａと前記第２傾斜板１２ｂの最下点が上方向に向かうために、傾斜角度が少なくなる。逆に、前記角度調整手段１３を反時計周りに回転させると、前記第１傾斜板１２ａと前記第２傾斜板１２ｂの最下点が下方向に向かうために、傾斜角度が大きくなる。
【００７１】
さらに、傾斜角度を変更することで、勢いよく傾斜板にぶつかる飛散水がより確実に乾燥室３壁面にぶつかり、使用者に飛散水が跳ね返らないようにすることができる。
【００７２】
前記第１傾斜板１２ａと前記第２傾斜板１２ｂは、前記乾燥室３から着脱可能とする着脱手段１４ａと着脱手段１４ｂを備えた構造である。
【００７３】
図１に示すように、前記第１傾斜板１２ａと第２傾斜板１２ｂの裏側に、各１個づつの着脱手段１４ａと着脱手段１４ｂを備えた構成としている。
【００７４】
また、前記着脱手段１４ａと前記着脱手段１４ｂの構成の一例であるが、前記着脱手段１４ａは、横方向に可動する構造であり、前記着脱手段１４ｂは、縦方向に可動する構成である。
【００７５】
さらに、前記着脱手段１４ａを横方向に操作すると、前記着脱手段１４ｂが連動して可動する構成とし、前記着脱手段１４ａを壁面方向に操作すると、前記着脱手段１４ｂが上面方向に可動し、逆に前記着脱手段１４ａを内側方向に操作すると、前記着脱手段１４ｂが下面方向に可動する構成とする。
【００７６】
また、前記着脱手段１４ｂが上面方向に可動すると、前記本体１内の前記乾燥室３から分離されることで、取り外しが可能となる。
【００７７】
さらに、前記着脱手段１４ｂが下面方向に可動すると、前記本体１内の前記乾燥室３に着脱手段１４ｂが入るために、傾斜板１２が前記乾燥室３と一体になって、装着が可能となる。
【００７８】
また、図２に示すように、前記着脱手段１４ａと前記着脱手段１４ｂは、上方から見ると前記第１傾斜板１２ａと第２傾斜板１２ｂに隠れているために、使用者には見えない位置に設置されている。
【００７９】
さらに、清掃者が乾燥室３内を清掃する時に、前記着脱手段１４ａを壁面側に横方向に操作することで、前記着脱手段１４ｂが上面方向に可動し、乾燥室３から前記第１傾斜板１２ａと第２傾斜板１２ｂを取り外すことで、容易に清掃することができる。
【００８０】
また、前記第１傾斜板１２ａと第２傾斜板１２ｂの最上位部（着脱手段１４ａ周辺）と前記乾燥室３壁面間には、清掃者が手を入れて着脱手段１４ａを横方向に操作可能な空間が保たれた構造となっている。
【００８１】
さらに、前記乾燥室３の底部に設けた前記排水口８は、排水効果を向上させるために、第２傾斜板１２ｂの最下点の延長上に配置する。
【００８２】
図３に示すように、第２傾斜板１２ｂの最下点付近に前記排水口８を配置することで、傾斜板により集められた飛散水を即時に前記ドレンタンク１０へ排水させることができる構成する。
【００８３】
上記構成により、第１傾斜板１２ａと第２傾斜板１２ｂを設けることで、乾燥室３内を２層構造に構成することができるため、手から離れた飛散水は、傾斜板にあたり跳ね返った飛散水は、乾燥室３壁面に向かって跳ね返すことができる。
【００８４】
また、傾斜板上の飛散水を上層部から下層部へ送ることができるために、飛散水を乾燥室壁面に跳ね返らせることで、上方への跳ね返り力を抑え、使用者へ飛散水の跳ね返りを抑制させることができる。
【００８５】
また、飛散水を下層部に送ることで、乾燥室３底部に溜まる残水を構造的に跳ね返らせないようにすることができることとなる。
【００８６】
また、傾斜板の角度を角度調整手段１３にて変更可能にすることで、飛散水の跳ね返り角度を送風の強さに応じて、調整することができるために、飛散水の跳ね返りを調整しながら、効果的に乾燥室３壁面に跳ね返らせることで、使用者への飛散水の跳ね返りを確実により抑制させることができることとなる。
【００８７】
さらに、調整する方法であるが、商品設置後の初期運転時に、送風量を変更できる場合は、送風量を決定し、水分を滴下しながら飛散水が使用者に直接跳ね返らず、壁面側に跳ね返るように、前記角度調整手段１３の回転方向を変化させて、角度を変更することで、調整可能とする。
【００８８】
また、第１傾斜板１２ａと第２傾斜板１２ｂの隠れた位置にある前記着脱手段１４ａを壁面側に横方向に操作することで、前記着脱手段１４ｂが上面方向に可動し、清掃時には、第１傾斜板１２ａと第２傾斜板１２ｂを乾燥室から取り外すことができる。
【００８９】
さらに、前記着脱手段１４ａと前記着脱手段１４ｂが隠れた位置にあるのに操作できる理由は、操作マニュアル等にメンテナンス方法などで記載があり、使用者には気づかれることなく、知っている人のみが操作可能となっている。
【００９０】
また、マニュアル等の記載により、前記第１傾斜板１２ａと第２傾斜板１２ｂの最上位部（着脱手段１４ａ周辺）と前記乾燥室３壁面間の隙間から手を入れて、着脱手段１４ａを操作して、取り外すことができる。
【００９１】
さらに、取り外しことで、乾燥室に凹凸がなくなり、容易に清掃が可能であるために清潔が保たれる。
【００９２】
また、第１傾斜板１２ａと第２傾斜板１２ｂを設置されていることで、乾燥室底部の残水や排水口周辺に集まったゴミが見えないために、視覚による不快感を与えなくすることができることとなる。
【００９３】
また、傾斜板の最下点の延長上に排水口８を設けることで、傾斜板に回収された飛散水を即時に排水することができるために、飛散水をすぐに排水させながら、乾燥室内の残水量を減らすことで、跳ね返り水を低減することができる。
【００９４】
また、残水を減らすことで、水垢などの発生を抑制させることができる。
【００９５】
さらに、傾斜板と乾燥室３の壁面の間の隙間から送風が取り入れられ、乾燥室３壁面を通り、排水口８に送風されるために、乾燥室３の壁面に付着した飛散水も同時に排水口８へ導き、効率的な排水と飛散水の回収をすることができることとなる。
【００９６】
（実施の形態２）
図４および図５および図６に示すように、本発明の実施の形態２の手乾燥装置を示す正面断面図と２つの上方図を示す。
【００９７】
前記乾燥室３には、前記乾燥室３の中央から壁面側に向けて４方向に傾斜した４枚の傾斜板で構成された傾斜台１５を備え、前記傾斜台１５は手からの飛散した水分を４方向に分散させて跳ね返りを低減させることを特徴とする手乾燥装置である。
【００９８】
図４に示すように、４方向に傾斜板を配置した傾斜台１５は、乾燥室３内に新たに設置され、手から飛散した飛散水が傾斜板にぶつかり４方向に分散されて、跳ね返り方向が真上ではなく、乾燥室３の壁面方向に飛ばされることとなる。
【００９９】
また、勢いがなくなった飛散水は、傾斜板と４方向壁面の隙間からすべり落ち乾燥室底部に集まるようになる。
【０１００】
図５に示すように、傾斜台１５の４方向の傾斜板は、乾燥室３の中央から壁面側に向けて配置しているので乾燥室３の壁面までの方向を分散させて距離を短くしているために、飛散水を下層部へ早く送り込むことができる。
【０１０１】
また、前記電動送風機２からの高速空気流が４方向の傾斜板にあたることで、４方向の壁面からすべり落ちる飛散水を後押しすることもできるために、排水時間を加速させることができる。
【０１０２】
前記乾燥室３に前記傾斜台１５を配置した前記排水口８は、排水効果を向上させるために、前記傾斜台１５の直下に配置することを特徴とする請求項５記載の手乾燥装置である。
【０１０３】
また、傾斜台１５の真下に排水口８を配置することで、４方向の傾斜板から下層部へ流れ落ちる方向が分散され乾燥室３壁面から排水口８へ４方向から一機に回収が可能となることから時間短縮で排水完了させることができる。
【０１０４】
前記傾斜台１５の４方向に設けられた傾斜板には、縦方向に仕切り板１６を設ける構造を追加する。
【０１０５】
図６に示すように、４方向に傾斜板を配置した傾斜台１５の各傾斜板に飛散水が傾斜板を水平方向に流れるのを防止する仕切り板１６を設けることで、飛散水が傾斜面を流れ落ちる途中に、前記電動送風機２の高速空気流により、飛散水が横方向に流されることで、下層部へ到達するまでの距離を長くすることを防止することで、下層部への送り込む時間を制限させることができる構成する。
【０１０６】
上記構成により、４枚の傾斜板で構成された傾斜台と乾燥室壁面の距離を最短距離にすることで、飛散水は傾斜台から跳ね返り後すぐに４方向に分散させながら、乾燥室壁面に飛散させることができるために、最短距離で乾燥室壁面に飛散させることで、傾斜板に流れている途中の水分の送風による巻き上がりを低減させることができる。また、最短距離にすることで、乾燥室３の下層部に送り込む時間を短くできるため、傾斜板に溜まる跳ね返り水の量を低減することができることとなる。
【０１０７】
また、傾斜台は、最短距離で乾燥室の下層部へ飛散水を流すことができる。
【０１０８】
また、傾斜板と壁面の隙間からの高速空気流の送風により、４方向から飛散水を中心の排水口に向けて包みこむように送り出すことができるために、傾斜台の直下に排水口を設けることで、最短距離で傾斜板から底部に流れ込んだ飛散水を、４方向から回収できるために、効率的な排水が可能となる。また、傾斜台から見えない位置にあるので、乾燥室底部の残水や排水口周辺に集まったゴミが見えないために、視覚による不快感を与えなくすることができることとなる。
【０１０９】
また、傾斜板の１辺に縦方向の仕切りを設けることで、送風による傾斜板内の飛散水の横流れ（水平方向への流れ）を防止することができるために、送風に後押しされながら、横流れもせず、最短距離で乾燥室の下層部に短時間で流水することができるために、傾斜板に溜まる跳ね返り水の量を低減することができることとなる。
【０１１０】
（実施の形態３）
図７および図８に示すように、本発明の実施の形態３の手乾燥装置を示す２つの正面断面図を示す。
【０１１１】
前記乾燥室３の壁面には、逆流防止板１７を装着可能な構造を追加することを特徴とする請求項１〜７記載の手乾燥装置である。
【０１１２】
図７に示すように、乾燥室３壁面に底面の残水が高速空気流に壁面を伝わり、持ち上がりで逆流して使用者に跳ね返ることを防止するために、逆流防止板１７を乾燥室３の壁面に新たに取り付けることにより、逆流してくる水を乾燥室３内に戻ることができる。
【０１１３】
また、前記逆流防止板１７は、逆流防止板の高さを変更可能な構造である。
【０１１４】
さらに、前記逆流防止板１７の一例として、蝶番のような材と材が支点で回転動作が可能な構造であり、逆流防止板上面１７ａと逆流防止板下面１７ｂに回転動作が可能な支点を設けており、逆流防止板上面１７ａと逆流防止板下面１７ｂは、前記乾燥室３の壁面に装着可能な構造となっている。
【０１１５】
図８に示すように、乾燥室３壁面に設けた逆流防止板１７の高さを段階的に変更することができるために、前記乾燥室３の壁面には、前記逆流防止板下面１７ｂにのみ、取り付け位置が上下に複数設けてあり、前記逆流防止板下面１７ｂの取り付け位置を変更可能とすることで、支点の位置（高さ）が変わり、前記逆流防止板１７の高さを変更できる構造となっている。
【０１１６】
また、底面にたまった残水が高速空気流の風速の大小に関わらず、壁面を伝わり、持ち上がりで逆流して使用者に跳ね返すことを防止するために、高速空気流の強さと残水量に応じて、逆流防止板１７の高さを使用者側で変更できるようにすることで、逆流してくる水を確実に乾燥室３内に戻ることができる。
【０１１７】
前記逆流防止板１７は、乾燥室３壁面に収納可能な構造である。
【０１１８】
また、前記逆流防止板上面１７ａと前記逆流防止板下面１７ｂに回転動作が可能な支点を設けているが、逆流防止させない、前記逆流防止板上面１７ａと前記逆流防止板下面１７ｂには、角度を持たせていた。しかし、逆流防止を必要としない場合は、角度を必要とせず、逆流防止板下面１７ｂの取り付け位置を最下段に変更することで、前記逆流防止板１７を、平坦にすることができるために、前記乾燥室３に前記逆流防止板上面１７ａと前記逆流防止板下面１７ｂを収納が可能となる。
【０１１９】
さらに、乾燥室３壁面に設けた逆流防止板１７を乾燥室３内に収納できるようになったことで、乾燥室３内の壁面の凹凸がなくなり、清掃時に容易に壁面を清掃可能とすることで、清潔感を保つことが可能な乾燥室３を得ることができる構成する。
【０１２０】
上記構成により、乾燥室の壁面に送風による逆方向への残水の持ち上がりによる逆流水の抑制のために乾燥室壁面に逆流防止板をとりつけることで、逆流水による持ち上がりを食い止めることができるために、残水の戻りで逆流水の持ち上がり現象による跳ね返りを抑制することができることとなる。
【０１２１】
また、逆流防止板の高さを調整可能とすることで、逆流水の量及び送風量に応じて、逆流水による持ち上がりを食い止めることができるために、逆流水による持ち上がりの量に応じて、使用者が変更可能できるため、逆流水の持ち上がり現象による跳ね返りをより抑制することができることとなる。
【０１２２】
また、乾燥室壁面に取り付けられた逆流防止板の高さを調整できるだけでなく、収納可能とすることで、乾燥室壁面の凹凸をなくすことができるために、収納可能にし、乾燥室壁面の凹凸をなくすことで、乾燥室壁面の清掃が容易となり、清潔が保つことができる。また、乾燥室側面の残水や排水口周辺に集まったゴミの清掃も容易にできるために乾燥室全体を清潔にすることができることとなる。
【産業上の利用可能性】
【０１２３】
本発明の手乾燥装置は、レストランやホテルなどの洗面所やトイレに設置され、また病院や手術室や調理場においても適用できる。
【符号の説明】
【０１２４】
１      本体
２      電動送風機
３      乾燥室
４      手検知部
５      吸気口
６      ノズル部
７      制御部
８      排水口
９      ドレン配管
１０    ドレンタンク
１１    風路
１２ａ  第１傾斜板
１２ｂ  第２傾斜板
１３    角度調整手段
１４    着脱手段
１４ａ  着脱手段
１４ｂ  着脱手段
１５    傾斜台
１６    仕切り板
１７    逆流防止板
１７ａ  逆流防止板上面
１７ｂ  逆流防止板下面
【図１】
2012024174.tif 000003
【図２】
2012024174.tif 000004
【図３】
2012024174.tif 000005
【図４】
2012024174.tif 000006
【図５】
2012024174.tif 000007
【図６】
2012024174.tif 000008
【図７】
2012024174.tif 000009
【図８】
2012024174.tif 000010